(57)【要約】【課題】過電圧の深刻度を報知することによって、早期にＡＣプラグをコンセントから抜くことを促すことができ、電源回路及び電源保護回路の破損を効果的に防止することができる電源保護回路を提供する。【解決手段】アンプ回路３へ給電を行う電源回路２に入力される交流に係る電圧値を検出する電圧検出回路４４を備え、検出された電圧値に応じて、電源回路２に入力される交流を遮断するようにしてある電源保護回路４に、検出された電圧値が第１電圧値以下であるか否かを判定する手段と、電圧値が第１電圧値より低い第２電圧値以下であるか否かを判定する手段と、電圧値が第２電圧値より高いと判定された場合、電源回路２に入力される交流を遮断するリレー回路４７と、検出された電圧値が第１電圧値より高い場合、該電圧値が第２電圧値超、第１電圧値以下である場合に比べて、高輝度で発光又は高速点滅する表示部４６とを備える。【選択図】図１
2009284561.tif 000002
【特許請求の範囲】
【請求項１】
負荷へ給電を行う電源回路に入力される交流に係る電圧値を検出し、検出した電圧値に応じて、電源回路に入力される交流を遮断する電源保護方法において、
検出した電圧値が第１電圧値以下であるか否か、及び検出した電圧値が第１電圧値より低い第２電圧値以下であるか否かを判定し、
検出した電圧値が第２電圧値より高いと判定された場合、電源回路に入力される交流を遮断し、
検出した電圧値が第１電圧値より高い場合、該電圧値が第２電圧値超、第１電圧値以下である場合に比べて、表示部を高輝度で発光又は高速点滅させる
ことを特徴とする電源保護方法。
【請求項２】
負荷へ給電を行う電源回路に入力される交流に係る電圧値を検出する電圧検出回路を備え、該電圧検出回路が検出した電圧値に応じて、電源回路に入力される交流を遮断するようにしてある電源保護回路において、
前記電圧検出回路が検出した電圧値が第１電圧値以下であるか否かを判定する手段と、
前記電圧検出回路が検出した電圧値が第１電圧値より低い第２電圧値以下であるか否かを判定する手段と、
前記電圧検出回路が検出した電圧値が第２電圧値より高いと判定された場合、電源回路に入力される交流を遮断する遮断手段と、
前記電圧検出回路が検出した電圧値に応じて発光する表示手段と
を備え、
前記表示手段は、
前記電圧検出回路が検出した電圧値が第１電圧値より高い場合、該電圧値が第２電圧値超、第１電圧値以下である場合に比べて、高輝度で発光又は高速点滅するようにしてある
ことを特徴とする電源保護回路。
【請求項３】
電源回路に入力される交流を変圧する変圧器と、
該変圧器にて変圧された交流を整流する整流回路と
を備え、
前記電圧検出回路は、
前記整流回路にて整流された直流の電圧値を検出するようにしてあり、
前記遮断手段は、
電源回路の入力側に設けられたリレー回路を備える
ことを特徴とする請求項２に記載の電源保護回路。
【請求項４】
前記電圧検出回路が検出した電圧値が第２電圧値より低い第３電圧値未満であるか否かを判定する手段と、
前記電圧検出回路が検出した電圧値が第３電圧値より低い第４電圧値未満であるか否かを判定する手段と
を備え、
前記遮断手段は、
前記電圧検出回路が検出した電圧値が第３電圧値未満であると判定された場合、電源回路に入力される交流を遮断する手段を備え、
前記表示手段は、
前記電圧検出回路が検出した電圧値が第４電圧値未満である場合、該電圧値が第４電圧値以上、第３電圧値未満である場合に比べて、高輝度で発光し又は高速点滅するようにしてある
ことを特徴とする請求項２又は請求項３に記載の電源保護回路。
【請求項５】
負荷へ給電を行う電源回路と、
該電源回路を保護する請求項２から請求項４までのいずれか一項に記載の電源保護回路と
を備えることを特徴とする電気機器。
【発明の詳細な説明】
【技術分野】
【０００１】
本発明は、過電圧の交流が入力された際、電源回路に入力する交流を遮断することによって電源回路を保護する電源保護方法、該電源保護方法を実施する電源保護回路及び該電源回路を備えた電気機器に関する。
【背景技術】
【０００２】
過電圧が入力された際に電源回路を保護する電源保護回路が提案されている（例えば、特許文献１）。特許文献１に係る電源保護回路は、電源回路に入力される交流を遮断するリレー回路と、交流に係る電圧値を検出する過電圧検出部と、過電圧が検出された場合、リレー回路を切状態に制御する制御回路とを備えている。また、電源保護回路は、過電圧が検出されたことを報知する表示部を備えている。
このように構成された電源保護回路によれば、過電圧の交流が電源回路に入力された場合、リレー回路を切状態にすることによって、電源回路を保護することができる。また、電源回路に過電圧が印加されていることを報知することができる。
【特許文献１】特開平１１−６９６０４号公報
【発明の開示】
【発明が解決しようとする課題】
【０００３】
しかしながら、特許文献１に係る電源保護回路にあっては、過電圧の高低に拘わらず、過電圧の報知方法は変化しないため、使用者に過電圧の深刻度を報知することができないという問題があった。
【０００４】
低過電圧の交流が入力された場合、電源保護回路は破損しないが、高過電圧の交流が入力された場合、電源保護回路自体も破損、発煙、発火する虞があるため、早期にＡＣプラグをコンセントから抜く必要がある。
例えば、交流の電圧が安定しない地域で電源保護回路を備えた電気機器を使用する場合、度々、低過電圧の交流が入力されることがある。この場合、使用者は、表示部の発光によって過電圧が原因で電気機器の動作が停止していることを認識することができる。こうした状態が頻繁に起こるような地域においては、使用者は、交流が安定化するまで、ＡＣプラグをコンセントから抜かずに放置することも考えられる。
しかし、時には高過電圧の交流が入力することもある。この場合、早期にＡＣプラグをコンセントから抜く必要があるが、使用者は過電圧の深刻度を認識することができないため、ＡＣプラグをコンセントに差したまま放置し、その結果、電源保護回路の破損を招いてしまうことがある。
【０００５】
本発明は斯かる事情に鑑みてなされたものであり、過電圧が入力された際、交流を遮断すると共に、過電圧の高低に応じて、表示部の発光パターンを変更することによって、入力された過電圧の深刻度を報知し、早期にＡＣプラグをコンセントから抜くことを促すことができ、電源回路及び電源保護回路の破損を効果的に防止することができる電源保護方法、電源保護回路及び電気機器を提供することを目的とする。
【課題を解決するための手段】
【０００６】
本発明に係る電源保護方法は、負荷へ給電を行う電源回路に入力される交流に係る電圧値を検出し、検出した電圧値に応じて、電源回路に入力される交流を遮断する電源保護方法において、検出した電圧値が第１電圧値以下であるか否か、及び検出した電圧値が第１電圧値より低い第２電圧値以下であるか否かを判定し、検出した電圧値が第２電圧値より高いと判定された場合、電源回路に入力される交流を遮断し、検出した電圧値が第１電圧値より高い場合、該電圧値が第２電圧値超、第１電圧値以下である場合に比べて、表示部を高輝度で発光又は高速点滅させることを特徴とする。
【０００７】
本発明に係る電源保護回路は、負荷へ給電を行う電源回路に入力される交流に係る電圧値を検出する電圧検出回路を備え、該電圧検出回路が検出した電圧値に応じて、電源回路に入力される交流を遮断するようにしてある電源保護回路において、前記電圧検出回路が検出した電圧値が第１電圧値以下であるか否かを判定する手段と、前記電圧検出回路が検出した電圧値が第１電圧値より低い第２電圧値以下であるか否かを判定する手段と、前記電圧検出回路が検出した電圧値が第２電圧値より高いと判定された場合、電源回路に入力される交流を遮断する遮断手段と、前記電圧検出回路が検出した電圧値に応じて発光する表示手段とを備え、前記表示手段は、前記電圧検出回路が検出した電圧値が第１電圧値より高い場合、該電圧値が第２電圧値超、第１電圧値以下である場合に比べて、高輝度で発光又は高速点滅するようにしてあることを特徴とする。
【０００８】
本発明に係る電源保護回路は、電源回路に入力される交流を変圧する変圧器と、該変圧器にて変圧された交流を整流する整流回路とを備え、前記電圧検出回路は、前記整流回路にて整流された直流の電圧値を検出するようにしてあり、前記遮断手段は、電源回路の入力側に設けられたリレー回路を備えることを特徴とする。
【０００９】
本発明に係る電源保護回路は、前記電圧検出回路が検出した電圧値が第２電圧値より低い第３電圧値未満であるか否かを判定する手段と、前記電圧検出回路が検出した電圧値が第３電圧値より低い第４電圧値未満であるか否かを判定する手段とを備え、前記遮断手段は、前記電圧検出回路が検出した電圧値が第３電圧値未満であると判定された場合、電源回路に入力される交流を遮断する手段を備え、前記表示手段は、前記電圧検出回路が検出した電圧値が第４電圧値未満である場合、該電圧値が第４電圧値以上、第３電圧値未満である場合に比べて、高輝度で発光し又は高速点滅するようにしてあることを特徴とする。
【００１０】
本発明に係る電気機器は、負荷へ給電を行う電源回路と、該電源回路を保護する請求項２から請求項４までのいずれか一項に記載の電源保護回路とを備えることを特徴とする。
【００１１】
本発明にあっては、電源回路に入力される交流に係る電圧値を電圧検出回路にて検出する。交流に係る電圧値は、例えば、変圧器及び整流回路にて交流を変圧及び整流して得られる直流の電圧値である。そして、電源保護回路は、電圧検出回路にて検出した電圧値が所定の第１電圧値以下であるか否かを判定する。また、電圧検出回路にて検出した電圧値が第１電圧値より低い第２電圧値以下であるか否かを判定する。電圧検出回路が検出した電圧値が第２電圧値より高いと判定された場合、つまり定格電圧超の過電圧の交流が入力されていると判定された場合、遮断手段は交流を遮断する。遮断手段は、例えばリレー回路である。表示手段は、交流に係る電圧値に応じて発光輝度、発光の点滅速度を変更する。具体的には、表示手段は、交流に係る電圧値が第１電圧値より高い場合、電圧値が第２電圧値超、第１電圧値以下である場合に比べて、高輝度で発光し、又は高速で点滅発光する。
従って、過電圧の程度を表示装置にて報知することが可能になる。よって、過電圧保護回路を備えた電気機器の使用者は、表示装置の発光態様に応じて、電気機器のＡＣプラグをコンセントから早期に抜く必要がある状態か否かを判断することが可能になる。
なお、言うまでもなく、本発明には、２段階で発光態様を変更する場合のみならず、交流に係る電圧値の大きさに応じて、多段的に発光態様を変更するように構成された電源保護回路及び電気機器が含まれる。また、使用者から見て連続的に発光態様が変更するように構成された電源保護回路及び電気機器も含まれる。更に、電圧検出回路の構成は、交流の過電圧の程度を検出することができる態様であれば、その検出方法は問わない。
【００１２】
本発明にあっては、電源保護回路は、電圧検出回路にて検出した電圧値が第２電圧値より低い第３電圧値未満であるか否かを判定する。また、電圧検出回路にて検出した電圧値が第３電圧値より低い第４電圧値未満であるか否かを判定する。電源回路に入力される交流に係る電圧値が第３電圧値未満であると判定された場合、つまり定格電圧未満の交流が入力されていると判定された場合、遮断手段は交流を遮断する。
従って、電気機器が動作不能な交流を遮断することによって、無駄な電力消費を防止することが可能になる。
また、表示手段は、交流に係る電圧値に応じて発光輝度、発光の点滅速度を変更する。具体的には、表示手段は、交流に係る電圧値が第４電圧値未満である場合、電圧値が第４電圧値以上、第３電圧値未満である場合に比べて、高輝度で発光し、又は高速で点滅発光する。
従って、電圧値の程度を表示装置にて報知することが可能になる。よって、過電圧保護回路を備えた電気機器の使用者は、表示装置の発光態様に応じて、電圧値の低下の程度、及び過電圧が入力されて電気機器が停止している状態では無いことを認識することができ、電気機器のＡＣプラグをコンセントから抜く必要が無いと判断することが可能になる。
【発明の効果】
【００１３】
本発明によれば、過電圧が入力された際、交流を遮断すると共に、入力された交流の過電圧の深刻度を報知し、早期にＡＣプラグをコンセントから抜くことを促すことができ、電源回路及び電源保護回路の破損を効果的に防止することができる。
【発明を実施するための最良の形態】
【００１４】
以下、本発明をその実施の形態を示す図面に基づいて詳述する。
図１は、本発明の実施の形態に係る電気機器の一例を示すブロック図である。本発明の実施の形態に係る電気機器は、例えばホームシアターシステム、オーディオ機器又はＴＶ等であり、商用交流電源のコンセントに差し込まれるＡＣプラグ１、ＡＣプラグ１から入力された交流を変圧、整流及び安定化し、給電を行う電源回路２、電源回路２から給電された電力にて動作するアンプ回路（負荷）３、及び電源回路２を保護する電源保護回路４を備える。
【００１５】
電源回路２は、ＡＣプラグ１から入力した交流を変圧する大容量変圧器２１と、大容量変圧器２１にて変圧された交流を整流及び平滑化する第１整流平滑回路２２と、第１整流平滑回路２２にて整流及び平滑化された直流を安定化させてアンプ回路３へ出力する第１安定化電源回路２３とを備える。
【００１６】
大容量変圧器２１は、後述のリレー回路４７を介してＡＣプラグ１の電源接続端子に接続された一次巻線、コア、及び該一次巻線に磁気結合した二次巻線を備える。
【００１７】
第１整流平滑回路２２は、例えば交流電力を全波整流する全波整流ダイオードブリッジを備え、全波整流ダイオードブリッジの入力端は、大容量変圧器２１を構成する二次巻線の両端に夫々接続されている。全波整流ダイオードブリッジの一の出力端は接地され、他の出力端には、一端が接地された平滑コンデンサの他端が接続されている。
【００１８】
第１安定化電源回路２３は、例えば１０Ｖの直流を出力する三端子レギュレータである。三端子レギュレータの入力端子には、全波整流ダイオードブリッジの他の出力端及び平滑コンデンサの他端が接続され、三端子レギュレータのグランド端子は接地され、出力端子はアンプ回路３に接続されている。
【００１９】
電源保護回路４は、電源回路２に入力される交流を遮断する常開単安定型のリレー回路４７と、交流の異常を報知する表示部４６と、リレー回路４７の入切及び表示部４６の発光を制御する制御回路４５と、ＡＣプラグ１から入力した交流を変圧する小容量変圧器４１と、小容量変圧器４１にて変圧された交流を整流及び平滑化する第２整流平滑回路４２と、第２整流平滑回路４２にて整流及び平滑化された直流を安定化させて制御回路４５及び表示部４６に供給する第２安定化電源回路４３と、第２整流平滑回路４２にて整流された直流の電圧を検出し、検出された電圧値Ｖを示す検出信号を制御回路４５へ出力する電圧検出回路４４とを備える。
【００２０】
制御回路４５は、例えばＣＰＵ（Central Processing Unit）を備えたマイクロコンピュータであり、ＣＰＵにバスを介して接続されたＲＯＭ、ＲＡＭ、読み書き可能な不揮発性メモリ、タイマー、入出力ポート等を備えている。ＲＯＭは、不揮発性の記憶手段であり、電源回路２を保護するための各種コンピュータプログラム、所定の第１電圧値（以下、上限電圧値という）、第１電圧値より低い第２電圧値（以下、準上限電圧値という）、第２電圧値より低い第３電圧値（以下、準下限電圧値という）、第３電圧値より低い第４電圧値（以下、下限電圧値という）、その他のデータを記憶している。ＣＰＵは、ＲＯＭが記憶しているコンピュータプログラム、各種データを一時記憶用のＲＡＭに読み出して実行することにより、電源回路２の保護を実現する。
【００２１】
リレー回路４７は、可動接点を有する可動片と、固定接点と、磁力によって該可動片を移動させ、リレー回路４７の入切状態を切り換える電磁コイルとから構成されている。リレー回路４７を構成する可動片の一部は、ＡＣプラグ１の一の電源接続端子に接続されており、固定接点は大容量変圧器２１を構成する一次巻線の一端に接続されている。また、ＡＣプラグ１を構成する他の電源接続端子は、前記一次巻線の他端に接続されている。一方、電磁コイルの一端は接地され、他端は制御回路４５の出力ポートに接続されている。制御回路４５は、入出力ポートからハイレベルの信号を出力することによって、リレー回路４７をオン状態に切り換える。入出力ポートからローレベルの信号が出力された場合、リレー回路４７は切状態になる。
【００２２】
表示部４６は、例えば発光ダイオード、及び該発光ダイオードを点滅発光させるためのスイッチング素子を備えている。該発光ダイオードの発光パターンは、制御回路４５によってスイッチング素子を入切制御することにより制御される。なお、スイッチング素子の入切をＰＷＭ（Pulse Width Modulation）制御することによって、発光ダイオードの輝度を制御することもできる。
【００２３】
小容量変圧器４１は、大容量変圧器２１に比べて小容量であり、ＡＣプラグ１の電源接続端子に接続された一次巻線、コア、及び二次巻線を備える。一次巻線の両端は、夫々ＡＣプラグ１の各電源接続端子に接続されている。なお小容量変圧器４１の容量は、少なくとも制御回路４５が電源保護方法を実施するために必要な電力を供給できる容量である。
【００２４】
第２整流平滑回路４２は、第１整流平滑回路２２と同様の構成であり、全波整流ダイオードブリッジを備え、全波整流ダイオードブリッジの入力端は、小容量変圧器４１を構成する二次巻線の両端に夫々接続されている。全波整流ダイオードブリッジの一の出力端は接地され、他の出力端には、一端が接地された平滑コンデンサの他端が接続されている。
【００２５】
第２安定化電源回路４３は、例えば１０Ｖの直流を出力する三端子レギュレータである。三端子レギュレータの入力端子には、全波整流ダイオードブリッジの他の出力端及び平滑コンデンサの他端が接続され、三端子レギュレータのグランド端子は接地され、出力端子は制御回路４５及び表示部４６に接続されている。
【００２６】
電圧検出回路４４は、第１整流平滑回路２２又は第２整流平滑回路４２から出力される直流の電圧値を検出する回路であり、検出して得た電圧値は制御回路４５に入力する。電圧検出回路４４は、例えば、前記直流を分圧すべく、直列接続された高電位側分圧抵抗器及び低電位側分圧抵抗器を備える。高電位側分圧抵抗器の一端は、第１及び第２整流平滑回路２２，４２を構成する全波整流ダイオードブリッジの前記他の出力端に接続されている。高電位側分圧抵抗器の他端と、低電位側分圧抵抗器の一端とは接続され、低電位側分圧抵抗器の他端は接地されている。また、低電位側分圧抵抗器の一端は、制御回路４５の入出力ポートに接続されており、分圧された直流の電圧値が制御回路４５に入力するように構成されている。制御回路４５は、入力したアナログの電圧値をデジタルの電圧値ＶにＡＤ変換することによって、交流に係る電圧値Ｖを取得する。
【００２７】
また、電気機器は、第１整流平滑回路２２と、電圧検出回路４４及び第２安定化電源回路４３との間に介装されており、前記第１整流平滑回路２２から、前記第２安定化電源回路４３及び前記電圧検出回路４４へ順方向に接続された整流ダイオード５を備える。より詳細には、第１整流平滑回路２２を構成する全波整流ダイオードブリッジの前記他の出力端と、整流ダイオード５のアノードが接続され、第２整流平滑回路４２を構成する全波整流ダイオードブリッジの前記他の出力端と、整流ダイオード５のカソードが接続されている。また、整流ダイオード５の他端は、低電位側分圧抵抗器の前記一端に接続されている。
【００２８】
次に、電源保護に係る制御回路４５の処理手順を説明する。ＡＣプラグ１が商用交流電源のコンセントに差し込まれていない場合、常開単安定型のリレー回路４７は切状態にある。そして、ＡＣプラグ１がコンセントに差し込まれた場合、交流が小容量変圧器４１、第２整流平滑回路４２、及び第２安定化電源回路４３を通じて、変圧、整流、安定化され、安定化された直流が制御回路４５に供給される。制御回路４５の動作に必要な直流が供給された場合、制御回路４５は、下記の電源保護に係る処理を実行する。なお、ＡＣプラグ１がコンセントに差し込まれた直後においては、リレー回路４７は切状態であるため、電源回路２側には交流は入力しない。
【００２９】
図２は、電源保護に係る制御回路４５の処理手順を示すフローチャート、図３は、電気機器の動作内容を示す図表である。制御回路４５に制御回路動作可能電圧値以上の直流が供給された場合、制御回路４５は、電圧検出回路４４から電圧値Ｖを取得し（ステップＳ１１）、取得した電圧値Ｖが下限電圧値未満であるか否かを判定する（ステップＳ１２）。下限電圧値未満であると判定した場合（ステップＳ１２：ＹＥＳ）、制御回路４５は、第１パターンで表示部４６を点滅発光させ（ステップＳ１３）、処理を終える。第１パターンの点滅速度は、後述の第２パターンの点滅速度に比べて速くなるように設定されている。
【００３０】
取得した電圧値Ｖが下限電圧値以上であると判定した場合（ステップＳ１２：ＮＯ）、制御回路４５は、取得した電圧値Ｖが準下限電圧値未満であるか否かを判定する（ステップＳ１４）。準下限電圧値未満であると判定した場合（ステップＳ１４：ＹＥＳ）、制御回路４５は、表示部４６を第２パターンで点滅発光させ（ステップＳ１５）、処理を終える。第２パターンの点滅速度は、第１パターンの点滅速度に比べて遅くなるように設定されている。
【００３１】
取得した電圧値Ｖが準下限電圧値以上であると判定した場合（ステップＳ１４：ＮＯ）、制御回路４５は、取得した電圧値Ｖが上限電圧値より高いか否かを判定する（ステップＳ１６）。上限電圧値より高いと判定した場合（ステップＳ１６：ＹＥＳ）、制御回路４５は、表示部４６を第３パターンで点滅発光させ（ステップＳ１７）、処理を終える。第３パターンの点滅速度は、後述の第４パターンの点滅速度に比べて速くなるように設定されている。
【００３２】
取得した電圧値Ｖが上限電圧値以下であると判定した場合（ステップＳ１６：ＮＯ）、制御回路４５は、取得した電圧値Ｖが上限電圧値より低い準上限電圧値より高いか否かを判定する（ステップＳ１８）。準上限電圧値より高いと判定した場合（ステップＳ１８：ＹＥＳ）、制御回路４５は、表示部４６を第４パターンで点滅発光させ（ステップＳ１９）、処理を終える。第４パターンの点滅速度は、第３パターンの点滅速度に比べて遅くなるように設定されている。
【００３３】
取得した電圧値Ｖが準上限電圧値以下であると判定した場合（ステップＳ１８：ＮＯ）、制御回路４５は、電気機器がスタンバイ状態にあるか否かを判定する（ステップＳ２０）。スタンバイ状態にあると判定した場合（ステップＳ２０：ＹＥＳ）、制御回路４５は、電源保護に係る処理を終える。スタンバイ状態に無いと判定した場合（ステップＳ２０：ＮＯ）、つまりアンプ回路３を動作させるための図示しない電源スイッチが入状態にある場合、リレー回路４７を入状態に制御し（ステップＳ２１）、電源保護に係る処理を終える。
なお、制御回路４５は、上述の処理を常時、定期的に実行するように構成されており、電気機器の動作中及びスタンバイ状態のいずれにおいても過電圧を監視し、電源回路２を保護することができる。
【００３４】
図４は、リレー回路４７が入状態にある電気機器の一例を示すブロック図である。交流に係る電圧値が準下限電圧値以上、準上限電圧値以下の電圧範囲内にある場合であって、スタンバイ状態に無い場合、図４に示すように、ステップＳ２０でリレー回路４７が入状態になる。リレー回路４７が入状態になった場合、ＡＣプラグ１から入力した交流は電源回路２に入力され、アンプ回路３は動作可能になる。また、第１整流平滑回路２２で平滑化された直流は、整流ダイオード５を通じて、電圧検出回路４４及び第２安定化電源回路４３に入力するため、制御回路４５は、大容量変圧器２１を通じて供給された直流にて動作する。
【００３５】
スタンバイ状態にある場合、又はスタンバイ状態に無い場合であっても、電圧検出回路４４で検出された電圧値Ｖが準下限電圧値未満、準上限電圧値超であるとき、リレー回路４７は切状態にあり、電源回路２に交流は入力しない。制御回路４５は、小容量変圧器４１を通じて供給された直流に基づいて動作する。
【００３６】
また、電圧検出回路４４で検出された電圧値Ｖが準上限電圧値超である場合、表示部４６が点滅発光することによって、過電圧の交流が入力されていることを報知することができる。特に、電圧値Ｖが上限電圧値超である場合、電源回路２のみならず電源保護回路４自体も破損する虞があるため、ＡＣプラグ１を早期にコンセントから抜くことを促すべく、表示部４６はより高速で点滅発光する。
【００３７】
更に、電圧検出回路４４で検出された電圧値Ｖが準下限電圧値未満である場合、表示部４６が点滅発光することによって、交流電圧に係る電圧値Ｖが低いために動作不能である旨を報知することができる。特に、電圧値Ｖが下限電圧値未満である場合、電圧値Ｖが下限電圧値以上である場合に比べて、表示部４６はより高速で点滅発光することによって、交流の異常の程度を報知する。
【００３８】
このように構成された電気機器及び電源保護回路４にあっては、電圧値Ｖが準上限電圧値より高い場合、電圧値Ｖに応じて表示部４６を第３及び第４パターンで点滅発光させることにより、過電圧の深刻度を報知し、早期にＡＣプラグ１をコンセントから抜くことを促すことができ、電源回路２及び電源保護回路４の破損を効果的に防止することができる。
【００３９】
また、電圧値Ｖが準下限電圧値未満である場合、電圧値Ｖに応じて表示部４６を第１及び第２パターンで点滅発光させることにより、電圧値Ｖの低下の程度、及び過電圧が入力されて電気機器が停止している状態では無いことを報知することがでる。従って、使用者に、電気機器のＡＣプラグ１をコンセントから抜く必要が無いことを通知することができる。
【００４０】
更に、リレー回路４７が切状態にある場合、小容量変圧器４１を通じて直流を制御回路４５に供給し、電源回路２を保護するように構成してあるため、スタンバイ状態における待機電力の省電力化を図ることができる。
【００４１】
更に、リレー回路４７が入状態にある場合、電源回路２を通じて直流を制御回路４５及び表示部４６に供給するように構成されている。電気機器が動作を開始すると、パワーオンＬＥＤ、表示部４６のバックライト等が点灯し、消費電力が増大するが、制御回路４５及び表示部４６には、大容量変圧器２１を通じて直流が供給されるため、電気機器は問題無く動作することができる。言い換えると、小容量変圧器４１は、電気機器動作時に制御回路４５及び表示部４６に必要な直流を供給できる必要は無く、少なくとも電源保護の処理に必要な電力を制御回路４５及び表示部４６に供給できれば問題が無いため、更に小容量変圧器４１を小容量及び小型化することができる。
【００４２】
次に、本発明の変形例を説明する。
図５は、変形例に係る電気機器の一例を示すブロック図である。変形例に係る電気機器は、電源保護回路４の構成のみが異なる。電源保護回路４は、小容量変圧器４１に入力する交流を遮断するための常閉単安定型のリレー回路４８を備えている。また、電源保護回路４は、リレー回路４８が切状態になった際、制御回路４５に直流を供給する蓄電池４９を備えている。
【００４３】
制御回路４５は、図示しない計時手段を備えている。制御回路４５は、電圧検出回路４４にて検出された電圧値Ｖが準上限電圧値、又は上限電圧値以上である場合、計時を開始する。電圧値Ｖが準上限電圧値、又は上限電圧値以上のまま所定時間が経過した場合、制御回路４５は、リレー回路４８を切状態に制御する。以後、制御回路４５は、定期的にリレー回路４８を入状態にして、電圧検出回路４４から電圧値Ｖを取得し、取得した電圧値Ｖが準下限電圧値以上、準上限値以下の状態にあるか否かを判定する。電圧値Ｖが準下限電圧値以上、準上限値以下である場合、リレー回路４８への通電を停止し、リレー回路４８を入状態に戻す。電圧値Ｖが準上限電圧値、又は上限電圧値以上のままである場合、制御回路４５はリレー回路４８を切状態に制御する。
【００４４】
変形例に係る電源保護回路４及び電気機器にあっては、過電圧の交流が入力している状態でＡＣプラグ１がコンセントに挿入されたまま所定時間以上放置された場合、小容量変圧器４１の上流側で交流を遮断することができ、電源回路２のみならず、電源保護回路４自体も効果的に保護することができる。
【００４５】
なお、実施の形態においては、交流に係る電圧値Ｖに応じて、表示部の点滅速度を変更するように構成してあるが、表示部の輝度を増減させるように構成しても良い。表示部の輝度は、例えば、ＰＷＭ制御によって発光ダイオードに流れる実効電流を増減させて制御すれば良い。また、表示部に複数の発光ダイオードを備え、発光させるダイオードの数を増減させることによって、輝度を増減させても良い。
【００４６】
また、アンプ回路を備えた電気機器として、ホームシアターシステム等を例示したが、負荷に給電を行う電源回路の保護が必要な他の電気機器に本発明を適用しても良い。
【００４７】
更に、本発明にあっては、４つの閾値電圧を用いて電圧値を監視しているが、閾値電圧の数はこれに限定されない。
【００４８】
更にまた、今回開示された実施の形態はすべての点で例示であって、制限的なものではないと考えられるべきである。本発明の範囲は、上記した意味ではなく、特許請求の範囲によって示され、特許請求の範囲と均等の意味及び範囲内でのすべての変更が含まれることが意図される。
【００４９】
（付記）
アンプ回路と、該アンプ回路に給電を行う電源回路と、該電源回路を保護する電源保護回路とを備える電気機器において、
前記電源回路は、
前記電源回路に入力される交流を変圧する第１変圧器と、
該第１変圧器にて変圧された交流を整流する第１整流回路と、
該第１整流回路にて整流された直流を安定化させてアンプ回路に供給する第１安定化電源回路と
を備え、
前記電源保護回路は、
前記第１変圧器に比べて小容量であり、前記電源回路に入力される交流を変圧する第２変圧器と、
該第２変圧器にて変圧された交流を整流する第２整流回路と、
該第２整流回路にて整流された直流の電圧を検出する電圧検出回路と、
前記電源回路に入力される交流を遮断するリレー回路と、
発光体を有する表示部と、
前記電圧検出回路が検出した電圧値に応じて、前記リレー回路の入切及び前記表示部の発光を制御する制御回路と、
前記第２整流回路にて整流された直流を安定化させて制御回路に供給する第２安定化電源回路と
を備え、
更に、前記第１整流回路から、前記第２安定化電源回路及び前記電圧検出回路へ順方向に接続された整流ダイオードを備え、
前記制御回路は、
前記電圧検出回路が検出した電圧値が第１電圧値以下であるか否かを判定する手段と、
前記電圧検出回路が検出した電圧値が第１電圧値より低い第２電圧値以下であるか否かを判定する手段と、
前記電圧検出回路が検出した電圧値が第２電圧値より低い第３電圧値未満であるか否かを判定する手段と、
前記電圧検出回路が検出した電圧値が第３電圧値より低い第４電圧値未満であるか否かを判定する手段と、
前記電圧検出回路が検出した電圧値が第２電圧値より高いと判定された場合、又は前記電圧検出回路が検出した電圧値が第３電圧値未満であると判定された場合、電源回路に入力される交流を遮断する遮断手段と、
前記電圧検出回路が検出した電圧値が第１電圧値より高い場合、該電圧値が第２電圧値超、第１電圧値以下である場合に比べて、前記表示部を高輝度で発光又は高速点滅させる手段と、
前記電圧検出回路が検出した電圧値が第４電圧値未満である場合、該電圧値が第４電圧値以上、第３電圧値未満である場合に比べて、前記表示部を高輝度で発光し又は高速点滅させる手段と
を備えることを特徴とする電気機器。
【図面の簡単な説明】
【００５０】
【図１】本発明の実施の形態に係る電気機器の一例を示すブロック図である。
【図２】電源保護に係る制御回路の処理手順を示すフローチャートである。
【図３】電気機器の動作内容を示す図表である。
【図４】リレー回路が入状態にある電気機器の一例を示すブロック図である。
【図５】変形例に係る電気機器の一例を示すブロック図である。
【符号の説明】
【００５１】
１  ＡＣプラグ
２  電源回路
３  アンプ回路
４  電源保護回路
５  整流ダイオード
２１  大容量変圧器
２２  第１整流平滑回路
２３  第１安定化電源回路
４１  小容量変圧器
４２  第２整流平滑回路
４３  第２安定化電源回路
４４  電圧検出回路
４５  制御回路
４６  表示部
４７  リレー回路
４８  リレー回路
４９  蓄電池
【図１】
2009284561.tif 000003
【図２】
2009284561.tif 000004
【図３】
2009284561.tif 000005
【図４】
2009284561.tif 000006
【図５】
2009284561.tif 000007